(57)【特許請求の範囲】
【請求項１】
前後方向を有し、レンズ部と前記レンズ部から前記後方向へ延びるフレーム部とを有する一対のアイカップを有するゴーグル本体と、ヘッドストラップと着用状態における前記ヘッドストラップの長さ調整した状態を固定するためのファスナとを有するヘッドストラップの長さ調整システムとを含む、スイミングゴーグルにおいて、
前記ヘッドストラップは、前記アイカップの前記フレーム部の両側部に位置する連結部に挿入されて前記後方向へ折り返された両端部と、前記両端部と重ね合わされる中間部とを有し、前記両端部には第１挿通孔が設けられ、前記中間部にはその延在方向へ一定間隔で並ぶ複数の第２挿通孔が列設されており、
前記ファスナは、前記両端部の外面に位置する挟持頭部と、前記第１挿通孔と前記第２挿通孔とを貫通する脚部と、前記中間部の内面に位置する挟持底部とを有することを特徴とする前記スイミングゴーグル。
【請求項２】
前記ファスナの前記脚部は、前記ファスナの前記挟持頭部と前記挟持底部とのほぼ中央部に位置する請求項１に記載のスイミングゴーグル。
【請求項３】
前記ヘッドストラップのうちの少なくとも前記第２挿通孔が列設された領域の内面には、前記ヘッドストラップの両側縁に沿って延びる一対のリブが形成されている請求項１又は２に記載のスイミングゴーグル。
【請求項４】
前記ファスナの前記挟持底部は、その外形が前記第１及び第２挿通孔の外形よりも大きい扁平な矩形状であって、両端縁と、前記挟持頭部の両側縁と交差する方向へ延びる両側縁とを有する請求項１〜３のいずれかに記載のスイミングゴーグル。
【請求項５】
前記ファスナの前記挟持頭部の幅寸法は、前記ヘッドストラップの前記両端部の少なくとも一方の幅寸法よりも小さい請求項１〜４のいずれかに記載のスイミングゴーグル。
【請求項６】
前記ファスナの前記挟持頭部の外面には、流線形状の隆起面が形成されている請求項１〜５のいずれかに記載のスイミングゴーグル。
【請求項７】
前記ファスナの前記挟持頭部の外面には意匠要素が施されている請求項１〜６のいずれかに記載のスイミングゴーグル。
【発明の詳細な説明】
【技術分野】
【０００１】
本発明は、スイミングゴーグル、特に、ヘッドストラップの長さ調整システムを有するスイミングゴーグルに関する。
【背景技術】
【０００２】
従来、ヘッドストラップの長さ調整システムを有するスイミングゴーグルは公知である。たとえば、特許文献１には、ヘッドストラップの長さを調整するための一対のバックルが開示されている。
【先行技術文献】
【特許文献】
【０００３】
【特許文献１】特開２０１０−１７８７９４号公報
【発明の概要】
【発明が解決しようとする課題】
【０００４】
特許文献１に開示のスイミングゴーグルのバックルは、従来公知のものであって、一対の挿通孔とヘッドストラップを掛け回すためのクロスピース（crosspiece）とを有する。ヘッドストラップがゴーグル本体に取り付けられた状態においてヘッドストラップの長さを調整するときには、ヘッドストラップの端部を一対の挿通孔から外し、該端部を外方へ引っ張ってヘッドストラップの折り返された両端部の長さを調整した後に、それを再び一対の挿通孔に挿通させてクロスピースに巻き付けるためにさらに後方へ引っ張る必要がある。かかる一連の操作をすることは手間であり、特に、指が水で濡れている場合には、柔軟なプラスチック部材から形成されたヘッドストラップに対して滑り易くなっており、ヘッドストラップの両端部を比較的に小さな一対の挿通孔に挿入し難いという事態が生じていた。
【０００５】
一方、ゴーグル本体のフレーム部の両側に突起を設け、ヘッドストラップに形成された複数の開孔に該突起を嵌合させることによって、その長さを調整可能な手段を備えるスイミングゴーグルが知られているが、かかるスイミングゴーグルの場合には、ヘッドストラップの折り返された部分である両端部が固定されていないので、それらが水中において着用者の視界を遮るおそれがある。
【０００６】
本発明の課題は、従来のスイミングゴーグルの改良であって、比較的に簡易にヘッドストラップの長さ調整をすることができ、かつ、ヘッドストラップの折り返された端部を安定的に固定することのできるスイミングゴーグルの提供にある。
【課題を解決するための手段】
【０００７】
本発明は、前後方向を有し、レンズ部と前記レンズ部から前記後方向へ延びるフレーム部とを有する一対のアイカップを有するゴーグル本体と、ヘッドストラップと着用状態における前記ヘッドストラップの長さ調整した状態を固定するためのファスナとを有するヘッドストラップの長さ調整システムとを含む、スイミングゴーグルに関する。
【０００８】
本発明に係るスイミングゴーグルは、前記ヘッドストラップは、前記アイカップの前記フレーム部の両側部に位置する連結部に挿入されて前記後方向へ折り返された両端部と、前記両端部と重ね合わされる中間部とを有し、前記両端部には第１挿通孔が設けられ、前記中間部にはその延在方向へ一定間隔で並ぶ複数の第２挿通孔が列設されており、前記ファスナは、前記両端部の外面に位置する挟持頭部と、前記第１挿通孔と前記第２挿通孔とを貫通する脚部と、前記中間部の内面に位置する挟持底部とを有することを特徴とする。
【０００９】
本発明に係るスイミングゴーグルの好ましい実施態様の一つとして、前記ファスナの前記脚部は、前記ファスナの前記挟持頭部と前記挟持底部とのほぼ中央部に位置する。
【００１０】
本発明に係るスイミングゴーグルの他の好ましい実施態様の一つとして、前記ヘッドストラップのうちの少なくとも前記第２挿通孔が列設された領域の内面には、前記ヘッドストラップの両側縁に沿って延びる一対のリブが形成されている。
【００１１】
本発明に係るスイミングゴーグルのさらに他の好ましい実施態様の一つとして前記ファスナの前記挟持底部は、その外形が前記第１及び第２挿通孔の外形よりも大きい扁平な矩形状であって、両端縁と、前記挟持頭部の両側縁と交差する方向へ延びる両側縁とを有する。
【００１２】
本発明に係るスイミングゴーグルのさらに他の好ましい実施態様の一つとして、前記挟持頭部の幅寸法は、前記ヘッドストラップの前記両端部の少なくとも一方の幅寸法よりも小さい。
【００１３】
本発明に係るスイミングゴーグルのさらに他の好ましい実施態様の一つとして、前記ファスナの前記挟持頭部の外面には、流線形状の隆起面が形成されている。
【００１４】
本発明に係るスイミングゴーグルのさらに他の好ましい実施態様の一つとして、前記ファスナの前記挟持頭部の外面には意匠要素が施されている。
【発明の効果】
【００１５】
本発明に係るスイミングゴーグルによれば、ヘッドストラップのゴーグル本体の連結部に挿通して折り返した両端部とそれに対向する中間部とを、それらに形成された第１挿通孔と第２挿通孔とにファスナの一部を貫通させることによって互いに安定的に固定することができるので、ヘッドストラップの取り付けやその長さ調整をする操作が比較的に簡易であり、かつ、水中において両端部の一部が着用者の視界を妨げたりするおそれはない。
【図面の簡単な説明】
【００１６】
【図１】スイミングゴーグルの斜視図。
【図２】ヘッドストラップの斜視図。
【図３】図２のＩＩＩ−ＩＩＩ線断面図。
【図４】ファスナの斜視図。
【図５】図１のＶ−Ｖ線に沿う断面図。
【図６】図１の矢印ＶＩから見たスイミングゴーグルの外側面図。
【図７】図１の矢印ＶＩＩから見たスイミングゴーグルの内側面図。
【図８】他の実施例におけるスイミングゴーグルの外側面の一部拡大図。
【発明を実施するための形態】
【００１７】
本発明に係るスイミングゴーグル１０の詳細を添付の図面を参照して説明すると、以下のとおりである。図１において、Ｃ−Ｃ線はノーズブリッジ１６の長さを二等分する中心線であり、スイミングゴーグル１０は、Ｃ−Ｃ線に対して対称をなしている。
【００１８】
図１を参照すると、スイミングゴーグル１０は、前後方向Ｆ，Ｒとこれらに直交する横方向Ｘを有し、ゴーグル本体１１と、ヘッドストラップの長さ調節システムとを含む。該システムは、ヘッドストラップ１２と、ヘッドストラップ１２の長さを調整した後、その位置を固定するための一対のファスナ１３とを含む。ゴーグル本体１１は、一対のアイカップ１４と、アイカップ１４の周囲に取り付けられたガスケット１５と、アイカップ１４の横方向Ｘ内側を互いに連結するノーズブリッジ１６とを含む。
【００１９】
アイカップ１４は、透明の硬質材料から形成され、硬質材料としては、例えば、アクリル、ポリカーボネートなどのプラスチック材料を用いることができる。アイカップ１４は、横方向Ｘにノーズブリッジ１６を介して並んで形成され、前方向Ｆに位置するレンズ部１８と、レンズ部１８の周縁から後方向Ｒに延出するフレーム部１９とを含む。ガスケット１５とヘッドストラップ１２とは、ゴム弾性を有する比較的に柔軟なゴムや、シリコン、ポリウレタン等のプラスチック材料から形成することができる。
【００２０】
アイカップ１４には、その横方向Ｘ内側へ向かう突出部１４ａに位置する取付孔（図示せず）が形成されており、該取付孔にノーズブリッジ１６の端部に位置する突起（図示せず）を嵌合することによってノーズブリッジ１６をアイカップ１４に固定することができる。また、フレーム部１９の横方向Ｘにおける側部２１には、ヘッドストラップ１２の一部を挿通し、かつ、それを掛け回すための方形フレームである連結部２２が形成されている。ヘッドストラップ１２は、連結部２２に挿通された両側部２４，２５の両端部２８，２９と中間部２６，２７とがファスナ１３によって固定されることによって、ゴーグル本体１１に安定的に取り付けられている。
【００２１】
図２を参照すると、ヘッドストラップ１２は、両側縁１２ａ，１２ｂと、比較的に幅広の中央部２３と、中央部２３の両側から延出する両側部２４，２５とを有する。両側部２４，２５は、その延在方向Ｙと、中央部２３の両側から延在方向Ｙへ延びる中間部２６，２７と、中間部２６，２７からさらに延出方向Ｙへ延びる両端部２８，２９とを有する。
【００２２】
両端部２８，２９には、延在方向Ｙへ長い楕円形の第１挿通孔３１が設けられている。また、両端部２８，２９の一部及び中間部２６，２７には、第１挿通孔３１と延在方向Ｙへ所与寸法離間し、延在方向Ｙに並ぶ複数の第２挿通孔３２が列設されている。第２挿通孔３２は、第１挿通孔３１とほぼ同形同大であって、延在方向Ｙへ長い楕円形状を有している。両端部２８，２９の先端には、先細部２８ａ，２９ａが形成されている。なお、本実施形態において、図１に示すとおり、アイカップ１４の連結部２２にヘッドストラップ１２の両端部２８，２９を後方から前方に向かって挿し入れて、さらにそれを後方へ引っ張って折り返すことによってヘッドストラップ１２をゴーグル本体１１に取り付けるところ、その該折り返し部を両端部２８，２９としているので、両端部２８，２９とそれが折り返された状態において対向する中間部２６，２７との境界は適宜変更されうることを理解されたい。
【００２３】
ヘッドストラップ１２の両側部２４，２５の両側縁部は他の部分に比して肉厚であって、少なくとも第２挿通孔３２の列設された領域の内面には両側縁１２ａ，１２ｂに沿って延在方向Ｙへ延びる一対のリブ３５，３６が設けられている。また、両端部２８，２９の先端部２８ａ，２９ａには、その内面に内方に向かって凸曲する一対のリブ３７が設けられている。
【００２４】
図３を参照すると、両側部２４，２５のうちの第１及び第２挿通孔３１，３２が位置する領域の外面には、肉厚にされた隆起面３９が形成されており、複数の隆起面３９によってヘッドストラップ１２の外面は、延在方向Ｙへ連続する起伏形状を有する。各隆起面３９は、具体的には、第１挿通孔３１と対応する各第２挿通孔３２の先細部２８ａ，２９ｂ側に位置している。これらの隆起面３９は、ヘッドストラップ１２の両端部２８，２９をアイカップ１４の連結部２２に掛け回したときにその移動を規制するための手段として機能しうるものであって、例えば、ヘッドストラップ１２の長さ調整をするときに、先端部２８ａ，２９ａ側の隆起面３９から順に連結部２２に当接させることによって、隣り合う隆起面３９間の長さ寸法ごとにヘッドストラップ１２の長さを段階的に調整することができる。一方、第１挿通孔３１の外面近傍に形成された隆起面３９は、ヘッドストラップ１２の長さ調整中等にそれがアイカップ１４の連結部２２から完全に脱落するのを防止するストッパーとしての役割を果たし得る。
【００２５】
図４を参照すると、ファスナ１３は、ヘッドストラップ１２よりも硬質な材料、例えば、アクリル、ポリカーボネートなどのプラスチック材料から形成されている。ファスナ１３は、その輪郭がほぼ楕円状の挟持頭部４０と、ほぼ矩形状の挟持底部４２と、それらをそれらの中央部で一体的に連結する脚部４１とから構成されている。挟持頭部４０は、曲状の両側縁４０ａ，４０ｂと、その外面において流線形状を有する隆起面４４とを有する。挟持底部４２は、両端縁４２ａと、両端縁４２ａよりも長さ寸法が大きく、かつ、挟持頭部４０の両側縁４０ａ，４０ｂと交差する方向へ延びる両側縁４２ｂとを有する。脚部４１は、断面ほぼ楕円形であって、ファスナ１３によるヘッドストラップ１２の固定状態において、ヘッドストラップ１２の第１及び第２挿通孔３１，３２と内接する外径寸法を有する。挟持頭部４０と挟持底部４２とは、脚部４１の周縁外方へ延在する大きさを有する。なお、本発明の効果を奏する限りにおいて、ファスナ１３の挟持頭部４０と挟持底部４２とは、本実施形態の形状のほかに、各種公知の円形や角形、多角形状であってもよい。ただし、後記のとおり、挟持底部４２は、その一部をヘッドストラップ１２のリブ３５，３６に係止させてファスナ１３の回転止めとして機能させるために、円形ではなく角形であることが好ましい。
【００２６】
図５を参照すると、ファスナ１３を用いて、ヘッドストラップ１２の端部２８と中間部２６とを固定している状態において、ファスナ１３の脚部４１は、端部２８の第１挿通孔３１と中間部２６の第２挿通孔３２とをそれらに当接した状態で貫通している。かかる状態において、中間部２６と端部２８とは、互いに重ね合された状態でファスナ１３の挟持頭部４０と挟持底部４２とによって挟圧され、互いに安定的に固定されており、ヘッドストラップ１２に外部から比較的に強い衝撃が与えられても、かかる固定が解除されるおそれはない。
【００２７】
図６を参照すると、ファスナ１３の挟持頭部４０の幅寸法（挟持頭部４０の最も幅広の部位の幅寸法）Ｗ２は、ヘッドストラップ１２の側部２４の幅寸法Ｗ１よりも小さく、挟持頭部４０の両側縁４０ａ，４０ｂはヘッドストラップ１２の両側縁１２ａ，１２ｂの内方において延在方向Ｙに延びており、その一部がヘッドストラップ１２から外方に突出していない。したがって、ファスナ１３の一部が遊泳や競泳中に着用者の頭髪やキャップに引っ掛かるおそれはない。また、ファスナ１３の挟持頭部４０の外面には流線形状に隆起する隆起面４４が形成されているので、ヘッドストラップ１２の外面から突出する挟持頭部４０による水の乱流を抑え、整流する効果を有する。
【００２８】
図７を参照すると、ファスナ１３の挟持底部４２の両端縁４２ａは、ヘッドストラップ１２の内面においてリブ３５，３６に当接している。このように、ファスナ１３によって中間部２６と端部２８とが固定された状態において挟持底部４２の両端縁４２ａ全体がリブ３５，３６に当接しているので、ヘッドストラップ１２の外面から突出するファスナ１３の挟持頭部４０に外部から比較的に強い衝撃が加えられ、それを回転させようとする力が作用しても、挟持頭部４０が脚部４１の周方向へ回転して、その一部がヘッドストラップ１２の両側縁１２ａ，１２ｂから外部に突出したりするおそれはない。なお、リブ３５，３６は、ファスナ１３による固定をより強化するために、挟持底部４２の両端縁４２ａ全体を覆う厚さを有していてもよい。
【００２９】
ここで、ファスナ１３によるヘッドストラップ１２の端部２８と中間部２６とを固定する手順について説明すると、まず、ファスナ１３の挟持底部４２をヘッドストラップ１２の外面側から第１挿通孔３１に挿し入れる。第１挿通孔３１はその外形状がファスナ１３の挟持底部４２の外形状よりも小さいものであって、第１挿通孔３１を画定するヘッドストラップ１２のその孔縁部を弾性変形させながら挟持底部４２を第１挿通孔３１に挿通させることができる。なお、第１挿通孔３１はヘッドストラップ１２の延在方向Ｙに長い楕円形状であるので、挟持底部４２の端縁４２ａを延在方向Ｙにおいて離間対向する第１挿通孔３１の開口端縁に押し当てるようにして、すなわち、挟持頭部４０をヘッドストラップ１２と交差する方向に配置した状態で、挟持底部４２を第１挿通孔３１に挿通させることが好ましい。
【００３０】
次に、ヘッドストラップ１２の内周囲の長さ寸法が着用者の挟持頭部の外周囲の長さ寸法よりも僅かに小さくなるように適当な第２挿通孔３２に挟持底部４２を挿通させる。第２挿通孔３２の外形は第１挿通孔３１とほぼ同じであって挟持底部４２の外形よりも小さく、第２挿通孔３２を画定するヘッドストラップ１２の孔縁部を弾性変形させながら挟持底部４２を第２挿通孔３２に挿通させることができる。第２挿通孔３２は第１挿通孔３１と同様に延在方向Ｙへ長い楕円形状であるので、第１挿通孔３１に挟持底部４２を挿通させたままの状態、すなわち、挟持頭部４０をヘッドストラップ１２と交差する方向に配置した状態で、第２挿通孔３２に挿通させることが好ましい。最後に、挟持底部４２を第１及び第２挿通孔３１，３２に挿通し、脚部４１をそれらに貫通させた状態において、挟持頭部４０を指で摘んで脚部４１の周方向へ約９０度回転させることによって、図１及び６に示すとおり、頭部４０をその両側縁４０ａ，４０ｂがヘッドストラップ１２の両側縁１２ａ，１２ｂと対向するように位置させる。また、図７に示すとおり、このように位置させることによって、挟持底部４２の両端縁４２ａがリブ３５，３６に当接し、ファスナ１３の回転を防止することができ、ヘッドストラップ１２を安定的にゴーグル本体１１に固定することができる。
【００３１】
再度、ヘッドストラップ１２の長さ調整をするために、ファスナ１３を第２挿通孔３２から離脱させるときには、一方の手で第２挿通孔３２の近傍を摘んで押え、他方の手で端部２８の先細部２８ａ近傍を摘んでそれを中間部２６から離間するように横方向Ｘの外方へ引っ張る。それにより、第２挿通孔３２の孔縁部が弾性変形して第２挿通孔３２は拡径されるので、挟持底部４２を第２挿通孔３２から容易に離脱させることができる。また、そのままファスナ１３をヘッドストラップ１２から取り外すときには、挟持頭部４０を摘んで引っ張ることによって第１挿通孔３１の孔縁部が弾性変形して第１挿通孔３１は拡径されるので、挟持底部４２を第１挿通孔３１から容易に引き抜くことができる。このように、ファスナ１３のヘッドストラップ１２への取り付け及び取り外し操作は比較的に容易である。また、第１挿通孔３１に挟持底部４２が挿通された状態においてファスナ１３はヘッドストラップ１２から不用意に脱落することはないので、ヘッドストラップ１２がゴーグル本体１１から取り外されている状態であっても、ファスナ１３を紛失するおそれはない。なお、上記のファスナ１３によるヘッドストラップ１２の取り付け手順及び取り外し手順は、一例を示すものであって、他の手順、方法によってもその取り付け、取り外しをすることができる。
【００３２】
図８を参照すると、他の実施例におけるファスナ１３の挟持頭部４０の拡大図外側面図であって、本実施例では、ファスナ１３の挟持頭部４０の外面に意匠要素５０が施されている。具体的には、意匠要素５０は複数の花弁を有する花柄の模様であって、かかる意匠的な装飾を施すことによって、スイミングゴーグル１０の外観を向上させることができる。また、ファスナ１３はゴーグル本体１１及びヘッドストラップ１２と別体に形成されたものであるので、挟持頭部４０に様々な意匠的な模様、例えば、花柄のほかにハート形や星形等の各種公知の形状や絵柄、キャラクター、商品のロゴマークやブランド名等の商標等を施したものを複数用意し、それらを適宜交換して使用することによってスイミングゴーグル１０の外観を簡易に変えることができる。
【００３３】
本発明に係るスイミングゴーグル１０においては、左右一対のファスナ１３によってヘッドストラップ１２の長さ寸法を調整可能としているが、ヘッドストラップ１２の一方側部２４において端部２８と中間部２６とを溶着又は接着によって分離不能に固着し、他方側部２５にのみファスナ１３を取り付け、その長さを調整してもよい。また、ファスナ１３は、水中マスクのヘッドバンドや防護マスクのヘッドバンド等の長さ調整をするための手段としても用いることができる。
【００３４】
なお、スイミングゴーグル１０を構成する各構成部材には、特に明記されていない限りにおいて、本明細書に記載されている材料のほかに、この種の分野において通常用いられている、各種公知の材料を制限なく用いることができる。また、本明細書及び特許請求の範囲において使用されている「第１」および「第２」の用語は、同様の要素、位置等を単に区別するために用いている。
【符号の説明】
【００３５】
１０  スイミングゴーグル
１１  ゴーグル本体
１２  ヘッドストラップ
１２ａ，１２ｂ  ヘッドストラップの両側縁
１３  ファスナ
１４  アイカップ
１８  レンズ部
１９  フレーム部
２１  フレーム部の両側部
２２  連結部
２６，２７  ヘッドストラップの中間部
２８，２９  ヘッドストラップの両端部
３１  第１挿通孔
３２  第２挿通孔
３５，３６  リブ
３７  リブ
４０  挟持頭部
４１  脚部
４２  挟持底部
４２ａ  挟持底部の端縁
４２ｂ  挟持底部の側縁
４４  隆起面
５０  意匠要素
Ｆ    前方向
Ｒ    後方向
Ｙ    延在方向
Ｗ１  ヘッドストラップの幅寸法
Ｗ２  ファスナの挟持頭部の幅寸法
【図１】
0005483745.tif 000002
【図２】
0005483745.tif 000003
【図３】
0005483745.tif 000004
【図４】
0005483745.tif 000005
【図５】
0005483745.tif 000006
【図６】
0005483745.tif 000007
【図７】
0005483745.tif 000008
【図８】
0005483745.tif 000009